(57)【要約】  【課題】  転倒防止パイプ等の部材をジャングルジム本体から取り外す際に、パイプ連結突起ごと取り外し可能とすることにより、ジャングルジム本体には突出部を残さないジャングルジム用継手を提供すること。【解決手段】  継手本体1Aと、これに着脱自在に嵌合される着脱片1Bとを一組としてジャングルジム用継手1が構成される。継手本体1Aには、着脱片1Bの連結突起13が着脱自在に嵌合される嵌合穴181が穿設されると共に、着脱片1Bの基部11が収容される収容部161が前記嵌合穴181の挿入口に設けられている。着脱片1Bには、パイプに嵌合されるパイプ連結突起12と継手本体1Bに嵌合される連結突起13とが直交する位置関係で基部11に突設され全体形状がL字状とされている。【選択図】図１
2006204776.tif 000002
【特許請求の範囲】
【請求項１】
組立て式の子供用ジャングルジムに用いられる樹脂性の継手であって、
必要に応じてジャングルジム本体４から取外される部材に嵌合されるパイプ連結突起12と、ジャングルジム本体４のパイプに取付けられる継手本体1Aに対して着脱自在に嵌合される継手連結突起13とが直交する位置関係で基部11に形成され、全体形状がＬ字状とされる着脱片1Bと、
該着脱片の継手連結突起が着脱自在に嵌合される嵌合穴が穿設され、ジャングルジム本体４に固定して使用される継手本体1Aとを１組として構成されることを特徴とするジャングルジム用継手。
【請求項２】
請求項１記載のものであって、
前記継手本体1Aの基部16には、直交する位置関係で複数のパイプ連結突起17が突設されていることを特徴とするジャングルジム用継手。
【請求項３】
請求項１または２記載のものであって、
前記嵌合穴181の挿入口には、着脱片1Bの基部11が収容される収容部161が形成されていることを特徴とするジャングルジム用継手。
【請求項４】
請求項１乃至請求項３のいずれか一に記載のものであって、
前記パイプ連結突起12、17及び継手連結突起13には、被触面との間に生じる摩擦を調節するための摩擦リブ121、131、171が複数の立設されていることを特徴とするジャングルジム用継手。
【発明の詳細な説明】
【技術分野】
【０００１】
本発明は、組立て式の子供用ジャングルジムのパイプを連結するために用いられる継手の構成に関する。
【背景技術】
【０００２】
従来より、組立て式の子供用ジャングルジムとして種々の商品が販売されている。
これらのジャングルジムの構造としては、下記特許文献等に開示されるように30乃至40センチ程度に揃えて切断された直径3乃至4センチの樹脂パイプを、専用の継手によって連結して組み立てられるものが一般的であった。前記継手には複数の種類があり、例えば、角部の連結に用いられる３方分岐の継手や、パイプと間の連結に使用される４方分岐の継手などがあった。
組み立て式のジャングルジムでは、12本パイプによって構成される立方形状が基本形とされ、この基本形状を縦横に連設することにより、大きな構造を作ることができるが、組立て方次第で様々な形状を構成することができるため、場合によってはマッチ箱のように奥行きの少ない転倒しやすい形状となってしまうこともあり、そのような場合には、図６に示されるようなＵの字型の転倒防止パイプをジャングルジム本体の下部に取り付けて、転倒防止を図ることが必要とされていた。
前記転倒防止パイプは、図６(A)に示されるような４つのパイプ連結突起が形成されるジョイント部材によってジャングルジム本体に連結されるものであった。
【特許文献１】特開平07-39604号公報
【特許文献２】実開平05-13469号公報
【特許文献３】登録実用新案第3025093号公報
【発明の開示】
【発明が解決しようとする課題】
【０００３】
遊び終わった後にジャングルジム本体を片付ける場合には、例えば図６に示すように、転倒防止パイプをジャングルジム本体から取り外してからジャングルジム本体を壁際に寄せて置くことになるが、前記従来商品では、転倒防止パイプを取り付けるためのパイプ連結突起がジャングルジム本体から突き出した状態となるため、可能な限り壁際に寄せても、突起の分だけ壁との間に隙間(図中に示されるh)が生じることになり、その分余計に収納場所をとるという問題があった。
また、ジャングルジムから突出されるパイプ連結突起に誤って足の小指をぶつけてしまうと酷く痛むという問題もあった。
そこで、転倒防止パイプ等の部材をジャングルジム本体から取り外した際に、ジャングルジム本体からパイプ連結突起が突出することのない継手が求められていた。
【課題を解決するための手段】
【０００４】
請求項１記載の発明は、
組立て式の子供用ジャングルジムに用いられる樹脂性の継手であって、
必要に応じてジャングルジム本体４から取外される部材に嵌合されるパイプ連結突起12と、ジャングルジム本体４のパイプに取付けられる継手本体1Aに対して着脱自在に嵌合される継手連結突起13とが直交する位置関係で基部11に形成され、全体形状がＬ字状とされる着脱片1Bと、
該着脱片1Bの継手連結突起が着脱自在に嵌合される嵌合穴が穿設され、ジャングルジム本体４に固定して使用される継手本体1Aとを１組として構成されることを特徴とする。
【０００５】
請求項２記載の発明は、
請求項１記載のものであって、
前記継手本体1Aの基部16には、直交する位置関係で複数のパイプ連結突起17が突設されていることを特徴とする。
【０００６】
請求項３記載の発明は、
請求項１または２記載のものであって、
前記嵌合穴181の挿入口には、着脱片1Bの基部11が収容される収容部161が形成されていることを特徴とする。
【０００７】
請求項４記載の発明は、
請求項１乃至請求項３のいずれか一に記載のものであって、
前記パイプ連結突起12、17及び継手連結突起13には、被触面との間に生じる摩擦を調節するための摩擦リブ121、131、171が複数の立設されていることを特徴とする。
【発明の効果】
【０００８】
本発明は以上説明したような形態で実施され、次のような効果を有する。
【０００９】
請求項１記載の発明によれば、
収納の妨げとなるため、ジャングルジムの収納時にジャングルジム本体４から取り外す必要のある転倒防止パイプ等の部材に着脱片1Bを取付けておくと共に、ジャングルジム本体４のパイプ２には継手本体1Aを取付けておくことにより、ジャングルジム本体４から取外される部材と一緒に着脱片1Bを取り外すことができる。
そのため、ジャングルジム本体４から収納の妨げとなる部材を取外しても、ジャングルジム本体４に取付けられる継手本体1Aには嵌合穴が露出されるだけであり、パイプ連結突起12、17が突出した状態にはならない。
そのため、ジャングルジム本体４を壁に密着させて置くことができるので、収納に必要とされる床面積を少なくすることが可能となると共に、壁をジャングルジム本体４の支えとして利用して子供が安全に遊ぶことも可能となる。
さらに、ジャングルジム本体４から突出されるパイプ連結突起に足を引っ掛けるトラブルを防止することが可能となる。
また、Ｌ字状に形成される着脱片1Bをフックとして使用することにより、ジャングルジム本体４から取り外された部材をジャングルジム本体４に掛けて片付けることが可能となる。
【００１０】
請求項２記載の発明によれば、
継手本体1Aの基部16には、直交する位置関係で複数のパイプ連結突起17、18が突設されているので、このパイプ連結突起17、18にパイプ2を嵌めてジャングルジムを組立てることにより、各パイプ2が直交して連結されるジャングルジムを容易に組み立てることが可能となる。
【００１１】
請求項３記載の発明によれば、
継手本体1Aに設けられる嵌合穴181の挿入口には、着脱片1Bの基部11が収容される小室としての収容部161が形成されているので、着脱片1Bと継手本体1Aとが連結される際には、収容部161の内部に着脱片1Bの基部を収めることができる。
これにより、ジョイント連結時においてパイプ連結突起12と対向位置に存在する継手本体1Aのパイプ連結突起17の軸線と、着脱片1Bのパイプ連結突起12の軸線とを一直線上に合わせることが可能となる。
【００１２】
請求項４記載の発明によれば、
パイプ連結突起12、17及び継手連結突起13に立設される複数の摩擦リブの幅を適宜調節することにより、被接触面との接触面積を調節して連結時における摩擦力を制限することができるので、ジャングルジムの解体時にパイプやジョイントが抜けなくなるトラブルを回避することが可能となる。
【発明を実施するための最良の形態】
【００１３】
本発明に係るジャングルジム用継手は、
組立て式の子供用ジャングルジムに用いられる樹脂性の継手であって、全体形状がＬ字状とされる着脱片と、該部材が着脱自在に嵌合される継手本体とを１組として構成されている。
前記着脱片1Bには、必要に応じてジャングルジム本体４から取外される部材に嵌合されるパイプ連結突起12と、ジャングルジム本体４のパイプに取付けられる継手本体1Aに対して着脱自在に嵌合される継手連結突起13とが直交する位置関係で基部11に形成されており、全体形状がＬ字状とされている。
また、前記継手本体1Aには、着脱片1Bの継手連結突起が着脱自在に嵌合される嵌合穴が穿設されており、継手本体1Aの基部16には、直交する位置関係で複数のパイプ連結突起17、18が突設されると共に、着脱片の基部11が収容される小室としての収容部161が設けられている。
さらに、前記パイプ連結突起12、17、18及び継手連結突起13には、被接触面との間に生じる摩擦を調節するための摩擦リブ121、131、171が複数の立設されている。
【実施例】
【００１４】
以下、図面に基づいて本発明に係る実施例を詳細に説明する。
図１は、本実施例に係るジャングルジム用継手1の外観を示している。
図示されるように、ジャングルジム用継手１は、ジャングルジムのパイプに固定して使用される継手本体1Bと、継手本体1Bに対して着脱自在に嵌合される着脱片1Aとを１組として構成されている。
【００１５】
<着脱片1Bの構成>
着脱片1Bは、樹脂成型により一体的に形成されており、パイプ連結突起12と継手連結突起13とが直交する位置関係で基部11に設けられて、全体としてＬ字状に形成されている。
このパイプ連結突起12と継手連結突起13には、薄板状の摩擦リブ15が離間して複数枚設けられている。
パイプ連結突起12は、ジャングルジムの収納時にジャングルジム本体４から取り外す必要のある転倒防止パイプ等に嵌合される突起として設けられており、継手連結突起13は、継手本体1Bの嵌合穴181に嵌合される突起であって、着脱片1Bを継手本体1Aに対して着脱自在とするために設けられている。
さらに、パイプ連結突起12と継手連結突起13には着脱片1Bの抜けやすさを調節するために摩擦リブ121、131が設けられており、この摩擦リブ121、131の頂部122、132の幅を調節することにより、頂部122、132と被接触面との間に生じる摩擦力を調節することが可能とされている。
【００１６】
<継手本体1Aの構成> 
継手本体1Aは、着脱片1Bと同様に樹脂成型により一体的に形成されており、四つのパイプ連結突起17、18が直交する位置関係で基部16に設けられている。
これらのパイプ連結突起17には、薄板状の摩擦リブ15が離間して複数設けられている。
前記パイプ連結突起18には、継手連結突起13が嵌合される円柱状の嵌合穴181が穿設されている。この嵌合穴181は、パイプ連結突起18の下部に位置する収納部161まで貫通しており、パイプ連結突起18は全体として円筒状に形成されている。パイプ連結突起18の外周部には、リブの代わりとなる尾根状の隆起部182が離間して四つ設けられている。
前記基部16の内部には、着脱片1Bの基部11が収納される小室としての収納部161が設けられている。
前記パイプ連結突起17、18は、ジャングルジム本体を構成するためにパイプ2と嵌合される突起として設けられており(図４参照)、摩擦リブ171は、着脱片に設けられるものと同様に、ジョイントの抜けやすさを調節するために設けられている。
【００１７】
次に、図３を参照して、継手本体1Aと着脱片1Bとの嵌合について説明する。
図３は、継手本体1Aと着脱片1Bの連結状態を示している。
図示されるように、着脱片1Bは、継手本体1Aの内部に収容される状態で継手本体1Aと嵌合され、着脱片1Bのパイプ連結突起12と継手本体1Aの連結突起17の軸線が一直線上に揃う状態で連結されものである。
【００１８】
次に、図４及び、図５を参照して、本実施例に係るジャングルジム用継手1の使用に関し説明する。
図４は、ジャングルジム用継手1とパイプとの取付け関係を示す図であり、
図５は、ジャングルジム用継手1の使用例を示している。
転倒防止パイプ３は、図５に示すように、奥行きの浅い形状に組立てられたジャングルジムの転倒を防止するために、ジャングルジム本体４の下部に取付けられるが、ジャングルジムの底部から大きく張り出しているため、子供が遊び終わった後にジャングルジムを片付ける場合には収納の妨げとなる。
そのため、本実施例では、ジャングルジム用継手1を使用して転倒防止パイプ３を着脱自在とする構成を例示している。
ジャングルジム本体４の下部に位置するパイプ２の両端部には、継手本体1Aが取付けられており、他方、転倒防止パイプ３の両端部には、着脱片1Bが取付けられている。
転倒防止パイプ３の取付けに際しては、着脱片1Bの連結突起13が継手本体1Aの嵌合穴181に嵌合されるように位置を合わせて、ジャングルジム本体４の下方から転倒防止パイプ３が取付けられる。
転倒防止パイプ３の取外しに際しては、転倒防止パイプ３をジャングルジム４の下方に引くことにより、着脱片1Bごと転倒防止パイプ３が取外される。
そのため、転倒防止パイプ３を取外しても、ジャングルジム本体４の側には、突起物が残らないので、ジャングルジム本体４を壁に密着させて収納可能となるだけでなく、突出部に誤って足を引っ掛けてしまうトラブルを防止することも可能となっている。
さらに、転倒防止パイプ３をジャングルジム本体４の前面に取付けた状態でジャングルジム本体４を壁に密着させて置くことにより、壁をジャングルジム本体４の支えとして利用することができ、この状態で使用することで子供が安全に遊ぶこともできる。
【産業上の利用可能性】
【００１９】
本発明によれば、壁に密着させて置くことで、収納時に必要とされる床面積を減らすことができるだけでなく、壁をジャングルジム本体４の支えとして利用して子供が安全に遊ぶことのできるジャングルジムを提供することができる。
また、ジャングルジム本体の下部から突出するパイプ連結突起に誤って足を引っ掛けることのない安全なジャングルジムを提供することができる。
【図面の簡単な説明】
【００２０】
【図１】本実施例に係るジャングルジム用継手1の外観を示す図である。
【図２】着脱片1Bの断面構造を示す図である。
【図３】継手本体1Aと着脱片1Bの連結状態を示す図である。
【図４】ジャングルジム用継手1の取付けに関し説明する図である。
【図５】ジャングルジム用継手1の使用例を示す図である。
【図６】従来のジャングルジム用継手とその使用状態を示す図である。
【符号の説明】
【００２１】
１      ジャングルジム用継手
２      パイプ
１Ａ    継手本体
１Ｂ    着脱片
４      ジャングルジム本体
１１    基部
１２    パイプ連結突起
１３    継手連結突起
１５    摩擦リブ
１６    基部
１７    パイプ連結突起
１８    パイプ連結突起
１２１  摩擦リブ
１３１  摩擦リブ
１３２  頂部
１６１  収容部
１７１  摩擦リブ
１８１  嵌合穴
１８２  隆起部
【図１】
2006204776.tif 000003
【図２】
2006204776.tif 000004
【図３】
2006204776.tif 000005
【図４】
2006204776.tif 000006
【図５】
2006204776.tif 000007
【図６】
2006204776.tif 000008